(57)【要約】【課題】保守ツールなしで表示データを変更可能として、また、同様にカードリーダー内の各種ログデータの参照も可能とする表示器付非接触カードリーダー装置を提供する。【解決手段】表示器２を備えた非接触カードリーダー装置１において、ＩＤカード４が書込権限を持つカードか否かを判定し（Ｓ１０４）、書き込み権限を持つカードである場合に、当該ＩＤカード内に予め書き込まれたデータを読み込み、カードリーダー内の表示用データを更新する（Ｓ１０５，Ｓ１０６）制御手段を備える。【選択図】　　　　図４
2004145795.tif 000002
【特許請求の範囲】
【請求項１】
表示器を備えた非接触カードリーダー装置において、
ＩＤカードが書込権限を持つカードか否かを判定し、書き込み権限を持つカードである場合に、当該ＩＤカード内に予め書き込まれたデータを読み込み、カードリーダー内の表示用データを更新する制御手段を備えた
ことを特徴とする非接触カードリーダー装置。
【請求項２】
請求項１に記載の非接触カードリーダー装置において、
前記制御手段は、ＩＤカードが書込権限を持つカードでない場合に、通行許可を持つカードであるか否かを判定し、通行許可を持つカードである場合に、当該カードとの通信可能状態が所定時間経過した場合に、当該ＩＤカード内に予め書き込まれたデータを読み込み、カードリーダー内の表示用データを更新する
ことを特徴とする非接触カードリーダー装置。
【請求項３】
表示器を備えた非接触カードリーダー装置において、
ＩＤカードが参照権限を持つカードか否かを判定し、参照権限を持つカードである場合に、カードリーダー内のログデータを読み込み、表示器に表示する制御手段を備えた
ことを特徴とする非接触カードリーダー装置。
【請求項４】
請求項３に記載の非接触カードリーダー装置において、
前記制御手段は、ＩＤカードが参照権限を持つカードでない場合に、通行許可を持つカードであるか否かを判定し、通行許可を持つカードである場合に、当該カードとの通信可能状態が所定時間経過した場合に、カードリーダー内のログデータを読み込み、表示器に表示する
ことを特徴とする非接触カードリーダー装置。
【発明の詳細な説明】
【０００１】
【発明の属する技術分野】
この発明は、建物の通行制御などに用いられる非接触カードリーダー装置に備えられた表示器における表示データの更新方法及びそのカードリーダー内データの表示指示方法に関するものである。
【０００２】
【従来の技術】
従来、ＩＤカードに記録された識別情報を非接触で読み取る非接触式カードリーダーを用いて建物の通行制御を行うシステムがある（例えば特許文献１参照）。このような非接触カードリーダーに表示器を付けた表示器付き非接触カードリーダーにおいて、表示データ、例えばガイダンスなどの文字データや絵文字などの変更を行う際は、カードリーダーに、保守ツールを接続し、保守ツールからデータをカードリーダーにダウンロードすることにより行う方式が用いられていた。また、そのカードリーダー内の操作履歴など各種ログデータの参照についても、同様に保守ツールなどを接続し、データを収集する方式が用いられていた。
【０００３】
【特許文献１】
特開平８−１０９７６４号公報
【０００４】
【発明が解決しようとする課題】
このため、従来の方式では、別途カードリーダー接続用の保守ツールの準備や、カードリーダヘの個別の接続などその操作が煩雑であり、作業効率が非常に悪いものであった。
【０００５】
この発明は、上述した点に鑑みてなされたもので、保守ツールなしで表示データを変更可能として、また、同様にカードリーダー内の各種ログデータの参照も可能とする表示器付非接触カードリーダー装置を提供する。
【０００６】
【課題を解決するための手段】
この発明に係る表示器付非接触カードリーダーは、表示器を備えた非接触カードリーダー装置において、ＩＤカードが書込権限を持つカードか否かを判定し、書き込み権限を持つカードである場合に、当該ＩＤカード内に予め書き込まれたデータを読み込み、カードリーダー内の表示用データを更新する制御手段を備えたことを特徴とするものである。
【０００７】
【発明の実施の形態】
実施の形態１．
以下、この発明の実施の形態１を図に基づいて説明する。図１は、本実施の形態１に係る表示器付非接触カードリーダーの構成図である。図１に示すように、表示器付非接触カードリーダー本体１には、記憶領域１ａと、表示器２と、非接触カード（以下ＩＤカードと称す）４を読み取る非接触カード読取り部３とが備えられている。そして、前記記憶領域１ａには、表示器２の表示データ及びＩＤカード４の照合用カード番号が複数格納されている。なお、ＩＤカード４内にも記憶領域４ａが存在し、カード番号等が格納されている。
【０００８】
図２は、表示器付非接触カードリーダー１の記憶領域１ａ内の一部格納構造を示し、表示器２の表示データがアドレスｎ番地目からとアドレスｎ＋４０番地目から格納されている例であり、かつＩＤカード４の操作ログがアドレスｍから格納されている例を示す。
【０００９】
図３は、ＩＤカード４内の記憶領域４ａの一部格納構造を示し、カード番号と更新用表示データとしてアドレスとデータ長及び表示データが格納されている例である。
【００１０】
次に、上記構成に係る表示器付非接触カードリーダー１の画面データ変更動作について図４により説明する。この図４は、表示器付非接触カードリーダー１に内蔵された図示しないＣＰＵ（制御手段）による制御動作を示すフローチャートである。ステップＳ１０１ではカード読取り部３にて通信を介してＩＤカード４の照会を行う。ステップＳ１０２にてＩＤカードが無しと判断された場合は、ステップＳ１０１に戻り常にこれを繰り返すこととなる。ステップＳ１０２でＩＤカード４の存在が通信で確認された場合、ステップＳ１０３にて、ＩＤカード４内の記憶領域４ａに格納されたカード番号を読み取り記憶すると共に通信可能状態のＩＤカード４の存在を確認するためのカード掲示タイマーを起動する。
【００１１】
ステップＳ１０４で記憶されたカード番号とカードリーダー記憶領域１ａに格納されたカード番号とを照合し、書込権限のある特定のカード番号と一致した場合は、書込許可権限のカードとして、ステップＳ１０５にてＩＤカード４内の記憶領域４ａから表示用データを読み込む。ステップＳ１０６では、そのデータに基づきカードリーダー内記憶領域１ａのデータが更新される。図２と図３の例では、アドレスｎからの表示データ「照合ＯＫです」が「扉を解錠します」に更新されることとなる。
【００１２】
ステップＳ１０４でそのＩＤカード４が書込許可権限のないカードであった場合は、ステップＳ１０７にてカードリーダー記憶領域１ａに格納された通行許可のカード番号と照合する。通行許可のカードと一致しない場合はステップＳ１０８でカードリーダー記憶領域１ａの表示データに基づきカードリーダー表示部２にＮＧ表示（図２の例では「不正カードです」の表示）を行う。ステップＳ１０７で通行許可のカード番号と一致した場合は、ステップＳ１０９にて再度通信にてカード照会を行い、既にカードリーダー部３からＩＤカード４が遠ざかるなどして、カードが存在しない場合、ステップＳ１１０にてカードリーダー記憶部１ａの表示データに基づきカードリーダー表示部２にＯＫ表示（図２の例では「照合ＯＫです」の表示）を行う。
【００１３】
ステップＳ１０９にて、ＩＤカード４が依然掲示された状態である場合、ステップＳ１１１にてカード掲示タイマーが一定時間（例えば５秒）経過している時、すなわち、ＩＤカード４との通信可能状態が所定時間経過している場合に、ステップＳ１１２にて、ＩＤカード内の記憶領域４ａから表示用データを読み込み、ステップＳ１０６にて、そのデータに基づきカードリーダー内記憶領域１ａのデータが更新される。
【００１４】
次に、カードリーダー内データの表示動作について、図５により説明する。この図５は、表示器付非接触カードリーダー１に内蔵された図示しないＣＰＵ（制御手段）による制御動作を示すフローチャートである。ステップＳ２０１ではカード読取り部３にて通信を介してＩＤカード４の照会を行う。ステップＳ２０２にてＩＤカードが無しと判断された場合、ステップＳ２０１に戻り常にこれを繰り返すこととなる。ステップＳ２０２でＩＤカード４の存在が通信を介し確認された場合、ステップＳ２０３にて、ＩＤカード４内の記憶領域４ａに格納されたカード番号を記憶すると共にカード掲示タイマーを起動する。
【００１５】
ステップＳ２０４で記憶されたカード番号とカードリーダー記憶領域１ａに格納されたカード番号とを照合し、参照権限のある特定のカード番号と一致した場合、参照許可権限のカードとして、ステップＳ２０５にてカードリーダー内の記憶領域４ａからログデータを読み込み、ステップＳ２０６にて、ログデータを表示部２に表示する。図２の例では、アドレスｍからのログデータ（０６／１８　１４：００　１２３４５６７　ＯＫ，０６／１８　１４：３０　１２３４５６８ＮＧ）が表示される。
【００１６】
ステップＳ２０４でそのＩＤカードが参照許可権限のないカードであった場合、ステップＳ２０７にてカードリーダー記憶領域１ａに格納された通行許可のカード番号と照合する。通行許可のカードと一致しない場合はステップＳ２０８でカードリーダー記憶領域１ａの表示データに基づきカードリーダー表示部２にＮＧ表示（図２の例では「不正カードです」の表示）を行う。ステップＳ２０７で通行許可のカード番号と一致した場合ステップＳ２０９にて再度通信にてカード照会を行い、既にカードリーダー部３からＩＤカード４が遠ざかるなどして、カードが存在しない場合、ステップＳ２１０にてカードリーダー記憶部１ａの表示データに基づきカードリーダー表示部２にＯＫ表示（図２の例では「照合ＯＫです」の表示）を行う。
【００１７】
ステップＳ２０９にて、ＩＤカード４が依然掲示された状態である場合、ステップＳ２１１にてカード掲示タイマーが一定時間（例えば５秒）経過している時、すなわち、ＩＤカード４との通信可能状態が所定時間経過している場合に、ステップＳ２１２にて、カードリーダー内の記憶領域４ａからログデータを読み込み、ステップＳ２０６にて、ログデータを表示部２に表示する。
【００１８】
尚、上記実施の形態では、書込み動作もしくは参照動作をユーザーの操作なしに自動で行っているが、カードリーダー上のキーなど操作指示により実施しても良い。また、書込許可権限者と通行許可者などカードに与えられる権限によりデータを書き換えることのできる領域や参照できるログを分けても良い。
【００１９】
従って、上記実施の形態によれば、ＩＤカードが書き込み権限を持つカードである場合に、当該ＩＤカード内に予め書き込まれたデータを読み込み、カードリーダー内の表示用データを更新するようにしたので、保守ツールなしで表示データを変更可能とすることができ、また、表示器に表示するデータをカードリーダー内に多数格納しておく必要なないため、カードリーダー記憶領域の容量を表示データ用に確保する必要がなくなり、カードリーダー本体のコストダウン・小型化が図れる。
【００２０】
また、ＩＤカードが書込権限を持つカードでない場合でも、通行許可を持つカードである場合は、当該カードとの通信可能状態が所定時間経過した場合に、当該ＩＤカード内に予め書き込まれたデータを読み込み、カードリーダー内の表示用データを更新するようにしたので、容易に表示データを更新可能とすることができる。
【００２１】
また、ＩＤカードが参照権限を持つカードである場合に、カードリーダー内のログデータを読み込み、表示器に表示するようにしたので、別途保守ツールなどを接続する必要が無く、ユーザー作業の省力化を図ることができ、カードリーダー内の各種ログデータの参照も可能とすることができる。そして、通行や故障の履歴などのログデータをビル内の特定管理者や通行等行うユーザーが容易に参照することができる。
【００２２】
さらに、ＩＤカードが参照権限を持つカードでない場合に、通行許可を持つカードである場合は、当該カードとの通信可能状態が所定時間経過した場合に、カードリーダー内のログデータを読み込み、表示器に表示するようにしたので、容易にログデータを参照することができる。
【００２３】
【発明の効果】
以上のように、この発明によれば、ＩＤカードが書き込み権限を持つカードである場合に、当該ＩＤカード内に予め書き込まれたデータを読み込み、カードリーダー内の表示用データを更新するようにしたので、保守ツールなしで表示データを変更可能とすることができ、また、表示器に表示するデータをカードリーダー内に多数格納しておく必要なないため、カードリーダー記憶領域の容量を表示データ用に確保する必要がなくなり、カードリーダー本体のコストダウン・小型化が図れる。
【図面の簡単な説明】
【図１】この発明の実施の形態１に係る表示器付非接触カードリーダーの構成図である。
【図２】この発明の実施の形態１に係る表示器付カードリーダー１の記憶領域１ａ内の一部格納構造を示す図である。
【図３】この発明の実施の形態１に係るＩＤカード４内の記憶領域４ａの一部格納構造を示す図である。
【図４】この発明の実施の形態に係る画面データ変更動作を示すフローチャートである。
【図５】この発明の実施の形態に係るカードリーダー内のデータ表示動作を示すフローチャートである。
【符号の説明】
１　表示器付非接触カードリーダー、１ａ　記憶領域、２　表示器、３　カード読取り部、４　ＩＤカード、４ａ　記憶領域。
【図１】
2004145795.tif 000003
【図２】
2004145795.tif 000004
【図３】
2004145795.tif 000005
【図４】
2004145795.tif 000006
【図５】
2004145795.tif 000007